(57)【要約】【課題】タッチパネル装置の方式によらず、故障領域を跨ぐようなスライド操作を行った場合でも、ユーザが実際に行った通りのスライド操作を検出することができる「タッチパネル装置および操作検出方法」を提供する。【解決手段】故障領域１０２を跨ぐスライド操作が行われたときに、故障領域１０２の位置でいったん第１のスライド操作（矢印１１１）が終了し、その後すぐに第２のスライド操作（矢印１１２）が開始されたと判定される場合でも、第１のスライド操作の終点の位置と、第２のスライド操作の始点の位置と、第１のスライド操作が終了してから第２のスライド操作が開始されるまでの時間差とが所定の条件を満たす場合には、第１のスライド操作と第２のスライド操作とを連続した１回のスライド操作であると判定する。【選択図】図２
2015082164.tif 000002
【特許請求の範囲】
【請求項１】
タッチパネル上で操作された位置を検出する操作位置検出部と、
上記操作位置検出部により検出される１以上の操作位置に基づいて、上記タッチパネルに対して行われた操作内容を判定する操作判定部とを備え、
上記操作判定部は、上記タッチパネルに対して行われた第１のスライド操作の終点の位置と、上記タッチパネルに対して行われた第２のスライド操作の始点の位置と、上記第１のスライド操作が終了してから上記第２のスライド操作が開始されるまでの時間差とが所定の条件を満たす場合に、上記第１のスライド操作と上記第２のスライド操作とを連続した１回のスライド操作であると判定することを特徴とするタッチパネル装置。
【請求項２】
上記操作判定部は、上記第１のスライド操作の終点の位置と上記第２のスライド操作の始点の位置との距離差が所定値以下であり、かつ、上記第１のスライド操作が終了してから上記第２のスライド操作が開始されるまでの時間差が所定値以下の場合に、上記第１のスライド操作と上記第２のスライド操作とを連続した１回のスライド操作であると判定することを特徴とする請求項１に記載のタッチパネル装置。
【請求項３】
上記タッチパネルの一部において操作を検出不可能な故障領域を特定する故障領域特定部を更に備え、
上記操作判定部は、上記第１のスライド操作の終点の位置および上記第２のスライド操作の始点の位置が共に上記故障領域の位置もしくはその近傍であり、かつ、上記第１のスライド操作が終了してから上記第２のスライド操作が開始されるまでの時間差が所定値以下の場合に、上記第１のスライド操作と上記第２のスライド操作とを連続した１回のスライド操作であると判定することを特徴とする請求項１に記載のタッチパネル装置。
【請求項４】
上記故障領域特定部は、上記第１のスライド操作の終点のＸ座標値と上記第２のスライド操作の始点のＸ座標値との距離差が所定値以下であり、かつ、上記第１のスライド操作が終了してから上記第２のスライド操作が開始されるまでの時間差が所定値以下の場合に、上記第１のスライド操作の終点のＸ座標値から上記第２のスライド操作の始点のＸ座標値までを範囲幅としＹ軸方向と平行な領域を上記故障領域として特定することを特徴とする請求項３に記載のタッチパネル装置。
【請求項５】
上記故障領域特定部は、上記第１のスライド操作の終点のＹ座標値と上記第２のスライド操作の始点のＹ座標値との距離差が所定値以下であり、かつ、上記第１のスライド操作が終了してから上記第２のスライド操作が開始されるまでの時間差が所定値以下の場合に、上記第１のスライド操作の終点のＹ座標値から上記第２のスライド操作の始点のＹ座標値までを範囲幅としＸ軸方向と平行な領域を上記故障領域として特定することを特徴とする請求項３に記載のタッチパネル装置。
【請求項６】
タッチパネル装置の操作位置検出部が、タッチパネル上で操作された位置を検出する第１のステップと、
上記タッチパネル装置の操作判定部が、上記第１のステップで上記操作位置検出部により今回検出された操作位置と、それより前の時点で上記操作位置検出部により検出された操作終了位置と、当該操作終了位置での操作が終了してから上記第１のステップで今回の操作が開始されるまでの時間差とが所定の条件を満たすか否かを判定する第２のステップと、
上記タッチパネル装置の操作判定部が、上記所定の条件を満たすと判定した場合に、上記第１のステップで検出した今回の操作位置を、上記それより前の時点で検出された操作終了位置から続く一連のスライド操作の位置であると判定する第３のステップとを有することを特徴とする操作検出方法。
【発明の詳細な説明】
【技術分野】
【０００１】
本発明は、タッチパネル装置および操作検出方法に関し、特に、タッチパネルの故障領域を跨ぐスライド操作が行われた場合の操作検出方法に関するものである。
【背景技術】
【０００２】
近年、電子機器では、操作手段としてタッチパネル装置を用いたものが増えている。この種の電子機器では、タッチパネル装置の表示パネル上に表示されたユーザインタフェースに対するユーザのタッチ操作やスライド操作（具体的にはフリック操作やピンチ操作など）によって、電子機器の各種動作を指示することができるようになっている。
【０００３】
ここで、タッチパネル装置としては、抵抗膜方式、光学方式、静電容量方式などの各方式によるものが知られている。何れの方式も、Ｘ軸方向の操作位置とＹ軸方向の操作位置とをセンサによりライン単位で検出し、両軸の検出ラインの交点においてタッチ操作やスライド操作が行われていることを検出する仕組みとなっている。
【０００４】
例えば、光学方式の場合、図５に示すように、タッチパネルの周囲において、Ｘ軸方向の一辺およびＹ軸方向の一辺に配置した発光素子（○印で示す）と、残りの二辺に配置した受光素子（□印で示す）とをセンサとして用いる。そして、発光素子によって発光された赤外光が指などの操作物によって遮断される位置（赤外光を受光できないＸ軸方向およびＹ軸方向の受光素子の位置）を検出するようになっている。
【０００５】
この種のタッチパネル装置では、センサの状態に基づいて、操作を検出不可能な故障領域を特定することが可能である。例えば、光学方式のタッチパネル装置において、図５のようにＹ軸方向の１個の受光素子１０１において赤外光が受光されない状態が一定時間以上続いている場合、その受光素子１０１があるＹ座標値のＸ軸方向の１ラインを故障領域１０２として特定することが可能である。
【０００６】
なお、タッチパネル装置の故障状態に応じて所定の対策を行うようにした技術が提案されている（例えば、特許文献１〜３参照）。特許文献１には、光ビームの遮断によりタッチ操作を検出するタッチパネル装置において、発光素子が故障した場合は、故障した発光素子と隣接する発光素子から故障の発光素子と対向する受光素子へ光ビームを照射する一方、受光素子が故障した場合は、故障した受光素子と対向する発光素子から故障の受光素子と隣接する受光素子へ光ビームを照射することにより、故障遮断系付近の検出分解能の低下を防止できるようにすることが記載されている。
【０００７】
特許文献２には、抵抗膜式のタッチパネル装置において、タッチパネルのスキャンデータが有効範囲内の同一位置を一定時間以上続けて示している場合は、当該タッチパネルが故障状態であると判断し、上記同一位置を故障位置であると判断することが記載されている。また、タッチパネルが故障状態であると判断されるとき、ユーザによる押圧位置を故障位置との差分により判断し、故障位置には選択ボタンを表示しないようにすることが記載されている。
【０００８】
特許文献３には、表示パネルが異常となった場合における表示可能領域を検出し、検出された表示可能領域に応じて異常時表示画像を生成し、当該異常時表示画像を表示可能領域に表示することにより、表示パネルが異常となった場合でも、適切な形態で画像を表示パネルに表示することができるようにすることが記載されている。
【先行技術文献】
【特許文献】
【０００９】
【特許文献１】特開平５−１６０７０３号公報
【特許文献２】特開２００８−７０９６３号公報
【特許文献３】特開２０１０−１７６０３０号公報
【発明の概要】
【発明が解決しようとする課題】
【００１０】
ところで、図６（ａ）のように、Ｘ軸方向に発生した故障領域１０２を跨ぐようにしてスライド操作（例えば、アイコン１０３のドラッグ操作）を行った場合、移動中の指が故障領域１０２に差し掛かったときに、タッチパネルから指が離されたと誤判定されてしまう。そのため、本来は図６（ｂ）に示す位置までアイコン１０３を移動させたいにもかかわらず、図６（ｃ）のように故障領域１０２の位置でアイコン１０３の移動が止まってしまうという問題があった。
【００１１】
なお、特許文献１に記載の技術によれば、故障している発光素子または受光素子が存在しても、それに隣接する発光素子または受光素子がタッチ操作の検出に代用されるので、スライド操作中に故障領域１０２の位置で指が離されたと誤判定されてしまうことを防止することができる。しかしながら、これは光学方式のタッチパネル装置にのみ適用可能であり、抵抗膜方式や静電容量方式など他の方式によるタッチパネル装置には適用することができない。一方、特許文献２や特許文献３に記載の技術を用いても、故障領域１０２において操作を検出することができないことに変わりはないため、スライド操作中に故障領域１０２の位置で指が離されたと誤判定されてしまうことを防止することはできない。
【００１２】
本発明は、このような問題を解決するために成されたものであり、タッチパネル装置の方式によらず、故障領域を跨ぐようなスライド操作を行った場合でも、ユーザが実際に行った通りのスライド操作を検出することができるようにすることを目的とする。
【課題を解決するための手段】
【００１３】
上記した課題を解決するために、本発明では、タッチパネルに対して行われた第１のスライド操作の終点の位置と、タッチパネルに対して行われた第２のスライド操作の始点の位置と、第１のスライド操作が終了してから第２のスライド操作が開始されるまでの時間差とが所定の条件を満たす場合に、第１のスライド操作と第２のスライド操作とを連続した１回のスライド操作であると判定するようにしている。
【発明の効果】
【００１４】
タッチパネル上に微小幅の故障領域が発生している場合に、その故障領域を跨ぐようにしてスライド操作を行うと、移動中の指が故障領域に差し掛かったときにタッチパネルから指が離されたと誤判定されるため、そこでいったん第１のスライド操作が終了し、その後すぐに第２のスライド操作が開始されたと判定される。この場合でも、上記のように構成した本発明によれば、第１のスライド操作と第２のスライド操作とが連続した１回のスライド操作であると判定されるので、タッチパネル装置の方式によらず、故障領域を跨いでユーザが実際に行った１回のスライド操作を、その操作通りに正しく検出することができる。
【図面の簡単な説明】
【００１５】
【図１】第１の実施形態によるタッチパネル装置の構成例を示すブロック図である。
【図２】第１の実施形態によるタッチパネル装置の動作を説明するための図である。
【図３】第１の実施形態によるタッチパネル装置における操作検出方法に関する動作例を示すフローチャートである。
【図４】第２の実施形態によるタッチパネル装置の構成例を示すブロック図である。
【図５】光学方式のタッチパネル装置において操作位置を検出する原理および故障領域の一例を示す図である。
【図６】従来の問題点を説明するための図である。
【発明を実施するための形態】
【００１６】
（第１の実施形態）
以下、本発明の第１の実施形態を図面に基づいて説明する。図１は、第１の実施形態によるタッチパネル装置の構成例を示すブロック図である。図１に示すように、第１の実施形態によるタッチパネル装置は、タッチパネル付きディスプレイ１０およびコントローラ２０を備えて構成されている。また、コントローラ２０は、その機能構成として、表示制御部２１、操作位置検出部２２および操作判定部２３を備えている。
【００１７】
表示制御部２１は、タッチパネル付きディスプレイ１０に対する各種情報の表示を制御する。本実施形態では一例として、タッチパネル付きディスプレイ１０の表示パネルにアイコンを表示させ、このアイコンをタッチパネルに対するスライド操作（なぞり操作）によって移動させる場合について説明する。
【００１８】
操作位置検出部２２は、タッチパネル付きディスプレイ１０のタッチパネル上で操作された位置を検出する。タッチパネルに対してスライド操作が行われている場合、操作位置検出部２２は、そのスライド操作の始点から終点までの一連の操作位置を随時検出して操作判定部２３に出力する。また、タッチパネルに対してクリック操作が行われている場合、操作位置検出部２２は、そのクリック操作が行われた１点の位置を検出して操作判定部２３に出力する。
【００１９】
操作判定部２３は、操作位置検出部２２により検出される１以上の操作位置に基づいて、タッチパネルに対して行われた操作内容を判定する。そして、その判定結果を表示制御部２１に出力する。表示制御部２１は、操作判定部２３により判定された操作内容に応じて、アイコンの表示を制御する。なお、操作判定部２３により判定された操作内容は、図示しない処理実行部にも供給され、操作内容に応じた処理が実行される。
【００２０】
タッチパネルに対して行われた操作がスライド操作である場合、操作判定部２３は、以下のような判定を行う。すなわち、操作判定部２３は、タッチパネルに対して行われた第１のスライド操作の終点の位置と、タッチパネルに対して行われた第２のスライド操作の始点の位置と、第１のスライド操作が終了してから第２のスライド操作が開始されるまでの時間差とが所定の条件を満たすか否かを判定し、満たす場合には、第１のスライド操作と第２のスライド操作とを連続した１回のスライド操作であると判定する。
【００２１】
ここで、所定の条件とは、第１のスライド操作の終点の位置と第２のスライド操作の始点の位置との距離差が所定値以下であり、かつ、第１のスライド操作が終了してから第２のスライド操作が開始されるまでの時間差が所定値以下であるというものである。操作判定部２３は、スライド操作がこの条件を満たす場合に、第１のスライド操作と第２のスライド操作とを連続した１回のスライド操作であると判定する。
【００２２】
これを図２の具体例に沿って説明する。図２に示すように、Ｙ軸方向の１個の受光素子１０１が故障していて、タッチパネル上で操作を検出不可能な１ライン分の故障領域１０２がＸ軸方向に沿って存在しているものとする。図２（ａ）は、この故障領域１０２よりも上側（Ｙ座標値が故障領域１０２よりも小さい側）に表示されたアイコン１０３をユーザの指でタッチした状態を示している。つまり、アイコン１０３を移動（ドラッグ）させるスライド操作の始点が指定された状態を示している。
【００２３】
図２（ｂ）は、スライド操作によりアイコン１０３をＹ軸方向の下側に向かって移動させている過程で、移動中の指が故障領域１０２にちょうど差し掛かった状態を示している。この場合、故障領域１０２では操作位置検出部２２がユーザの操作（タッチパネルに対してタッチされていること）を検出することができないので、故障領域１０２における操作位置の情報は操作位置検出部２２から操作判定部２３に供給されない。そのため、操作判定部２３では、故障領域１０２のＹ座標の位置でタッチパネルから指が離された、つまり、そこでスライド操作が終了したと判定する。これが第１のスライド操作である（矢印１１１で示す）。
【００２４】
しかし、図２（ｃ）に示すように、実際にはユーザによるスライド操作は矢印１１２の終点の位置まで継続して実行されている。この場合、操作位置検出部２２は、故障領域１０２があるＹ座標値よりも１ライン分下側のＹ座標値の位置において再度タッチ操作を検出し、そこからＹ軸方向の下側に向かって矢印１１２の終点までなぞられている一連の操作位置を随時検出して操作判定部２３に出力する。このため、操作判定部２３は、図２（ｃ）に矢印１１２で示されるようなスライド操作が行われたと判定する。これが第２のスライド操作である。
【００２５】
この場合、第１のスライド操作（矢印１１１）の終点の位置と、第２のスライド操作（矢印１１２）の始点の位置とは１ライン分しか離れていないので、両位置の距離差は所定値以下となる。また、第１のスライド操作が終了してから第２のスライド操作が開始されるまでの時間差は、指が１ラインを通過する間のわずかな時間しかないので、これも所定値以下となる。よって、操作判定部２３は、図２（ｄ）の矢印１１０に示すように、第１のスライド操作と第２のスライド操作とを連続した１回のスライド操作であると判定する。
【００２６】
図３は、第１の実施形態によるタッチパネル装置における操作検出方法に関する動作例を示すフローチャートである。なお、図３に示すフローチャートは、タッチパネル装置の電源がオンとされたときに開始する。まず、操作位置検出部２２は、タッチパネルに対して操作が行われたか否かを判定する（ステップＳ１）。操作が行われていない場合は、操作位置検出部２２は、ステップＳ１の判定を繰り返し行う。
【００２７】
タッチパネルに対して操作が行われた場合、操作位置検出部２２は、その操作位置を検出し、検出した位置情報を操作判定部２３に出力する（ステップＳ２）。操作判定部２３は、前回操作位置検出部２２より検出された操作終了位置と今回操作位置検出部２２より検出された操作位置との距離差が所定値以下であり、かつ、前回操作位置検出部２２より操作終了位置が検出されたときから今回操作位置検出部２２より操作位置が検出されるまでの時間差が所定値以下であるという所定の条件を満たすか否かを判定する（ステップＳ３）。
【００２８】
ここで、上記所定の条件を満たすと判定された場合、操作判定部２３は、ステップＳ２で今回検出した操作位置を、前回検出した操作終了位置（第１のスライド操作の終点）から続く一連のスライド操作の位置（第２のスライド操作の始点）であると判定する（ステップＳ４）。一方、上記所定の条件を満たさないと判定された場合、操作判定部２３は、ステップＳ２で今回検出した操作位置を通常の操作位置であると判定する（ステップＳ５）。
【００２９】
ステップＳ４またはステップＳ５の処理の後、操作位置検出部２２は、タッチパネルに対するユーザの操作が終了したか否かを判定する（ステップＳ６）。この判定は、ステップＳ２で操作位置検出部２２より操作位置が検出された時点から所定時間以内に次の操作がタッチパネルに対して行われたか否かによって行う。この場合の所定時間の長さは、ステップＳ３で判定される所定の条件の１つである時間差に関する所定値よりも長く設定される。
【００３０】
ここで、ユーザによる操作がクリック操作の場合は、次の操作がないので、ユーザの操作が終了したと判定される。一方、ユーザによる操作がスライド操作の場合は、スライド操作が継続している間は次の位置の操作が操作位置検出部２２により検出されるので、ユーザの操作は終了していないと判定される。ユーザの操作がまだ終了していない、すなわち、タッチパネルに対して次の操作が行われたと操作位置検出部２２により判定された場合、処理はステップＳ２に戻る。一方、ユーザの操作が終了したと判定された場合、処理はステップＳ１に戻る。
【００３１】
なお、図３のフローチャートには表示制御部２１による動作を示していないが、以下のように動作している。すなわち、表示制御部２１は、ステップＳ２で操作位置検出部２２により検出された操作位置に対してアイコンを表示させる制御を行う。これにより、ステップＳ２〜Ｓ６の繰り返しの処理によって一連のスライド操作が検出されている間、順次検出される操作位置に対してアイコンが表示され、スライド操作の始点から終点までドラッグされる。
【００３２】
以上詳しく説明したように、第１の実施形態では、第１のスライド操作の終点の位置と第２のスライド操作の始点の位置との距離差が所定値以下であり、かつ、第１のスライド操作が終了してから第２のスライド操作が開始されるまでの時間差が所定値以下の場合に、第１のスライド操作と第２のスライド操作とを連続した１回のスライド操作であると判定するようにしている。具体的には、操作判定部２３により第１のスライド操作が終了したと判定された後、次の操作位置が操作位置検出部２２により検出された時点で、当該次の操作位置が所定の条件を満たす場合には第１のスライド操作の続きの操作位置であると操作判定部２３にて判定し、そこから続く第２のスライド操作を第１のスライド操作に続く一連のスライド操作であると判定するようにしている。
【００３３】
このように構成した第１の実施形態によれば、故障領域１０２を跨ぐようにして一連のスライド操作が行われた場合に、故障領域１０２を挟んで第１のスライド操作と第２のスライド操作とに分断して誤判定されることを防止することができ、故障領域１０２を跨いでユーザが実際に行った１回のスライド操作をその操作通りに正しく検出することができる。この効果は、タッチパネル装置の方式が抵抗膜方式、光学方式、静電容量方式の何れであっても得ることができる。
【００３４】
（第２の実施形態）
次に、本発明の第２の実施形態を図面に基づいて説明する。図４は、第２の実施形態によるタッチパネル装置の構成例を示すブロック図である。この図４において、図１に示した符号と同一の符号を付したものは同一の機能を有するものであるので、ここでは重複する説明を省略する。
【００３５】
図４に示すように、第２の実施形態によるタッチパネル装置では、コントローラ２０の機能構成として、故障領域特定部２４を更に備えている。また、操作判定部２３の代わりに操作判定部２３’を備えている。
【００３６】
故障領域特定部２４は、タッチパネルの一部において操作を検出不可能な故障領域１０２を特定する。例えば、光学方式のタッチパネルにおいて、Ｙ軸方向の１個の受光素子１０１において赤外光が受光されない状態が一定時間以上続いている場合、その受光素子１０１があるＹ座標値のＸ軸方向の１ラインを故障領域１０２として特定することが可能である。
【００３７】
あるいは、故障領域特定部２４は、次のようにして故障領域１０２を特定するようにしてもよい。すなわち、故障領域特定部２４は、図２に示したように、第１のスライド操作の終点のＹ座標値と第２のスライド操作の始点のＹ座標値との距離差が所定値以下であり、かつ、第１のスライド操作が終了してから第２のスライド操作が開始されるまでの時間差が所定値以下の場合に、第１のスライド操作の終点のＹ座標値から第２のスライド操作の始点のＹ座標値までを範囲幅としＸ軸方向と平行な領域を故障領域１０２として特定する。
【００３８】
すなわち、第１のスライド操作と第２のスライド操作との２つの操作が検出された場合において、第１のスライド操作の終点のＹ座標値と第２のスライド操作の始点のＹ座標値との距離差が所定値以下であり、かつ、第１のスライド操作が終了してから第２のスライド操作が開始されるまでの時間差が所定値以下であるとき、人間の身体的能力を考えてそのような２つのスライド操作を実際に行えることはあり得ない。よって、そのような２つのスライド操作が検出された場合、故障領域特定部２４は、第１のスライド操作の終点と第２のスライド操作の始点と間に故障領域１０２が存在すると判定する。故障領域特定部２４は、故障領域１０２を特定した場合、その故障領域１０２の情報を図示しないメモリの保持しておく。
【００３９】
その後、別のスライド操作が行われたときに、操作判定部２３’は、第１のスライド操作の終点の位置および上記第２のスライド操作の始点の位置が共に、メモリの保持されている故障領域１０２の位置もしくはその近傍であり、かつ、第１のスライド操作が終了してから第２のスライド操作が開始されるまでの時間差が所定値以下の場合に、第１のスライド操作と第２のスライド操作とを連続した１回のスライド操作であると判定する。
【００４０】
具体的には、操作判定部２３’により第１のスライド操作が終了したと判定された後、次の操作位置が操作位置検出部２２により検出された時点で、第１のスライド操作の終了位置および次の操作位置が共に故障領域１０２の近傍であり、第１のスライド操作が終了してから次の操作が開始されるまでの時間差が所定値以下の場合に、次の操作位置が第１のスライド操作に続く一連のスライド操作の位置であると判定する。
【００４１】
このように構成した第２の実施形態においても、第１の実施形態と同様、故障領域１０２を跨ぐようにして一連のスライド操作が行われた場合に、故障領域１０２を挟んで第１のスライド操作と第２のスライド操作とに分断して誤判定されることを防止することができ、故障領域１０２を跨いでユーザが実際に行った１回のスライド操作をその操作通りに正しく検出することができる。
【００４２】
なお、上記第１および第２の実施形態では、故障領域１０２がＸ軸に平行な領域である場合を例に挙げて説明したが、故障領域がＹ軸に平行な領域である場合にも同様に本発明を適用することが可能である。また、上記第１および第２の実施形態では、Ｙ軸方向に沿ってスライド操作が行われる場合を例に挙げて説明したが、Ｘ軸方向に沿ってスライド操作が行われる場合や、斜めにスライド操作が行われる場合にも本発明を適用することが可能である。
【００４３】
また、第２の実施形態において、故障領域特定部２４は、Ｙ軸に平行な故障領域も特定することが可能である。すなわち、故障領域特定部２４は、第１のスライド操作の終点のＸ座標値と第２のスライド操作の始点のＸ座標値との距離差が所定値以下であり、かつ、第１のスライド操作が終了してから第２のスライド操作が開始されるまでの時間差が所定値以下の場合に、第１のスライド操作の終点のＸ座標値から第２のスライド操作の始点のＸ座標値までを範囲幅としＹ軸方向と平行な領域を故障領域として特定する。
【００４４】
また、上記第１および第２の実施形態では、アイコンのドラッグ操作を例に挙げて説明したが、本発明はこれに限定されない。すなわち、タッチパネル上で行われるスライド操作に対しては全て本発明を適用することが可能である。
【００４５】
その他、上記第１および第２の実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００４６】
１０  タッチパネル付きディスプレイ
２１  表示制御部
２２  操作位置検出部
２３，２３’  操作判定部
２４  故障領域特定部
【図１】
2015082164.tif 000003
【図２】
2015082164.tif 000004
【図３】
2015082164.tif 000005
【図４】
2015082164.tif 000006
【図５】
2015082164.tif 000007
【図６】
2015082164.tif 000008